(57)【要約】【課題】自然の初期条件の作出の方法により鉱物の結晶の形成の自然的過程を再現すること。【解決手段】本発明によるダイヤモンド及び炭素結晶の取得を促進する自然な方法は、最初に初期物質（ダイヤモンドと炭素を含む結晶の取得のための混合物）を超低温（マイナス１９０度Ｃ乃至マイナス２７０度Ｃ）まで冷却することと、次に、ダイヤモンドと炭素結晶の初期物質内における後続の形成により物質の沸点まで物質の内部に上昇した（増加した）温度を作り出すことと、形成及び成長動作の過程と、物質の冷却の様式と物質の内部のエネルギーの注入を操作することから構成される。初期物質を有する容器１は、冷蔵室２内に存在する。電子配線４は、電極３に移動させられ、容器１内部に位置する。初期物質を有する容器１内の鉱物の結晶の形成の領域には装置及び適応５が存在し、これらはダイヤモンドの触媒（促進物）である。【選択図】図１
2007314379.tif 000002
【特許請求の範囲】
【請求項１】
最初に初期物質（ダイヤモンドと炭素を含む結晶の取得のための混合物）を超低温（マイナス１９０度Ｃ乃至マイナス２７０度Ｃ）まで冷却することと、
次に、ダイヤモンドと炭素結晶の初期物質内における後続の形成により物質の沸点まで物質の内部に上昇した（増加した）温度を作り出すことと、
形成及び成長動作の過程と、
物質の冷却の様式と物質の内部のエネルギーの注入を操作すること
から構成された、ダイヤモンド及び炭素結晶の取得を促進する自然な方法。
【請求項２】
ダイヤモンド及び炭素結晶の形成の領域において、電気的、化学的、電子的、機械的及び混合された装置及び適応が存在し、前記装置及び適応がダイヤモンド及び炭素結晶の触媒（促進物）である、請求項１に記載のダイヤモンド及び炭素結晶の取得を促進する自然な方法。
【発明の詳細な説明】
【技術分野】
【０００１】
本発明は、鉱物学の科学と、人工的方法による結晶の製造に関する。
【背景技術】
【０００２】
本発明の技術の段階は、物質的物体（原材料、材料、中間生成物、製造物等）上に向けられた行為のセットとしての物質的物体の有用な変形の決定のための技術的処理と、原材料及び完成品中の半完成の製品の処理の工程と、圧力、電気技術的、熱的方法による鉱物の結晶の製造である。本発明により提供される技術的結果の取得を妨害する理由は、例えば、「石油はバイオマスの分解の産物である」、「人間は猿から発生する」、「天然ダイヤモンドはコークスを絞った結果として製造する」のような誤った変形された理論による研究及び行動による（手動の）管理である。
【発明の開示】
【発明が解決しようとする課題】
【０００３】
本発明による方法は、鉱物、すなわちダイヤモンド及び炭素結晶の結晶形成の自然の工程を再現する。課題は、自然の初期条件の作出の方法による鉱物の結晶の形成の自然的過程の再現にある。
【課題を解決するための手段】
【０００４】
本発明によるダイヤモンド及び炭素結晶の取得を促進する自然な方法は、最初に初期物質（ダイヤモンドと炭素を含む結晶の取得のための混合物）が超低温（マイナス１９０度Ｃ乃至マイナス２７０度Ｃ）まで冷却することと、次に、ダイヤモンドと炭素結晶の初期物質内における後続の形成により物質の沸点まで物質の内部に上昇した（増加した）温度を作り出すことと、形成及び成長動作の過程と、物質の冷却の様式と物質の内部のエネルギーの注入を操作することから構成されており、これにより上記課題を解決する。
【０００５】
前記ダイヤモンド及び炭素結晶の取得を促進する自然な方法においては、ダイヤモンド及び炭素結晶の形成の領域において、電気的、化学的、電子的、機械的及び混合された装置及び適応が存在し、前記装置及び適応がダイヤモンド及び炭素結晶の触媒（促進物）であってもよい。
【０００６】
本発明による方法における基本的な基準は、炭素の再構築、結晶の形成又は種々の化学的接続の形成を伴う反応への導入前の自由炭素の物理的条件、すなわち超低温及び分子間の超高圧である。前記目的のために、初期物質（ダイヤモンド及び炭素結晶の取得のための混合物）は、超低温（マイナス１９０度Ｃ乃至マイナス２７０度Ｃ）まで冷凍され、その後物質内部の温度が初期物質の沸点まで上昇させられる。その結果、物質内には上昇（増加）した温度及び過剰な分子間圧力を有する上昇領域（図２の符号８）と、超低温及び上昇（増加）した分子間圧力を有する領域（図２の符号６）と、境界領域「熱−冷」（図２の符号７）が存在する。ダイヤモンド及び炭素結晶の形成の過程は、領域「熱−冷」において起こり、この過程の管理は、初期物質の冷却及び過熱の様式の操作を、領域「熱−冷」に存在するダイヤモンド及び炭素結晶の触媒（促進物）である電気的、化学的、電子的及び混合の適応及び装置を通じて実行する。
【０００７】
本発明によるダイヤモンド及び炭素結晶の取得を促進する自然な方法は、科学鉱物学の領域、すなわち人工的方法によるダイヤモンド及び炭素結晶の取得に関する。本発明の方法の本質は、自然の初期状態の作成と、ダイヤモンド及び炭素結晶の形成の自然状態の再構築にある。初期物質（ダイヤモンド及び炭素結晶の取得のための混合物）は、冷蔵室において超低温まで冷凍され、その後、物質の内部に注入されたエネルギーの消費により、物質内部の温度を物質の沸点まで上昇させる。物質中には属性による特徴を有する三つの領域が作成される。前記三つの領域とは、高温及び過剰な分子間圧力の領域と、低温及び高分子間圧力の領域と、境界領域「熱−冷」である。領域「熱−冷」においては、沸騰した物質は冷却され、結晶を形成する。ダイヤモンド及び炭素結晶の形成の領域内の初期物質において、ダイヤモンド及び炭素結晶の触媒（促進物）である追加の電気的、化学的、電子的及び混合の装置及び適応が確立される。
【０００８】
全ての結晶の形成の工程の範囲について、物質の冷却と物質内部へのエネルギーの注入が存在する。
【０００９】
領域「熱−冷」を結晶により満たした後、ダイヤモンドの成長の終了（停止）は物質内部へのエネルギーの注入を停止し、その後物質を冷却する。領域「熱−冷」に存在する物質の重量から、ダイヤモンド及び炭素結晶を取得する。
【発明を実施するための最良の形態】
【００１０】
初期物質（ダイヤモンド及び炭素結晶の取得のための混合物）を有する容器（図１の符号１）は、冷蔵室（図１の符号２）内に置かれ、初期物質の重量について超低温まで（マイナス１９０度Ｃ乃至マイナス２７０度Ｃまで）冷凍される。次に、物質内部に注入されたエネルギーの消費により、物質内部に高温（物質の沸点）が作出される。冷凍された初期物質内において、同時に起こる外側の冷却と内部の加熱により、属性による特徴を有する三つの領域が作成される。前記三つの領域は、低温及び高圧の領域（図２の符号６）と、高温及び過剰な圧力の領域（図２の符号８）と、境界領域「熱−冷」（図２の符号７）である。前記の領域内において進行する過程の結果として、境界領域「熱−冷」内におけるダイヤモンドと炭素結晶の形成が存在する。結晶の形成と成長の過程は、物質の外部の冷却と物質の内部のエネルギーの注入の様式を操作して作用する。また、領域「熱−冷」においては、種々の種類のダイヤモンドの触媒（促進物）が存在し、前記触媒（促進物）は特定の所与の物理的及び化学的特性を有するダイヤモンドの形成を促進する。成長するダイヤモンド物質により領域「熱−冷」を満たした後に、結晶の成長の終了（停止）は物質内部へのエネルギーの注入を停止し、その後容器を冷却する。容器と環境の温度が等しくされ、容器が開けられてダイヤモンド及び炭素結晶を有する物質の重量が取得される。
【００１１】
図１は、初期物質（ダイヤモンドの取得のための混合物）を有する容器１を示す。図１において、容器１は冷蔵室２内に存在する。電子配線４は、電極３に移動させられ、容器１内部に位置する。初期物質を有する容器１内の鉱物の結晶の形成の領域には装置及び適応５が存在し、これらはダイヤモンドの触媒（促進物）である。
【００１２】
図２は、初期物質内の複数の領域を示す。図２において、領域６は、物質の超低温及び高い分子間圧力を有する初期物質内の領域である。領域７は、領域「熱−冷」である。領域８は、物質の沸点まで上昇（増加）した物質の温度及び過剰な分子間圧力を有する初期物質内の領域である。
【図面の簡単な説明】
【００１３】
【図１】初期物質を有する容器を示す図である。
【図２】初期物質内の三つの領域を示す図である。
【符号の説明】
【００１４】
１  容器
２  冷蔵室
３  電極
４  電子配線
５  装置及び適応
６，７，８  領域
【図１】
2007314379.tif 000003
【図２】
2007314379.tif 000004